(57)【要約】【課題】アンテナ入力端子が高温になるのを抑制し、作業者や使用者が前記アンテナ入力端子の外部に露出した部分に触れても熱による苦痛や不快感を感じにくいチューナ及びこのチューナを備えた薄型テレビ受信機を提供する。【解決手段】電子部品２１が実装された回路基板２を囲む複数の側壁と、前記側壁と一体化され回路基板２と対向配置された平板部３１４とを具備したシールドケース３１と、平板部３１４に取り付けられた外部接続端子４とを有し、シールドケース３１は平板部３１４が配置された第１領域と、回路基板２の電子部品２１が実装されている部分を囲む第２領域とを備え、平板部３１４は外部接続端子４と接触する少なくとも３個の突起３１７を備えた外部接続端子取付部３１５を備えている。【選択図】図２
2011018820.tif 000002
【特許請求の範囲】
【請求項１】
電子部品が実装された回路基板と、
前記回路基板を囲む複数の側壁及び前記側壁と一体化され前記回路基板と対向配置された平板部を具備したシールドケースと、
前記平板部に取り付けられた外部接続端子とを有するチューナユニットであって、
前記シールドケースは前記平板部が配置された第１領域と、前記回路基板の電子部品が実装されている部分を囲む第２領域とを備えていることを特徴とするチューナユニット。
【請求項２】
前記平板部は前記外部接続端子と接触する少なくとも３個の突起を備えた外部接続端子取付部を備えている請求項１に記載のチューナユニット。
【請求項３】
前記シールドケースは、前記側壁に形成され外部基板と接続される複数個の脚部が前記第１領域よりも前記第２領域に多く形成された構造を有している請求項１又は請求項２に記載のチューナユニット。
【請求項４】
前記シールドケースは、前記側壁に前記第１領域から前記第２領域に渡って形成された貫通窓を備えている請求項１から請求項３のいずれかに記載のチューナユニット。
【請求項５】
前記シールドケースは、前記側壁の前記第１領域内の部分に貫通窓を備えており、前記貫通窓の前記第２領域側の端部の近傍に、少なくともひとつの前記脚部が形成されている請求項３に記載のチューナユニット。
【請求項６】
前記シールドケースは前記側壁と連結され、前記電子部品の近傍に配置される仕切り部材を備えており、
前記仕切り部材は、前記回路基板の前記側壁で囲まれている部分を前記電子部品が含まれるように区画する仕切り部と、前記仕切り部と連続し、前記電子部品の表面を接触して覆う伝熱板と、前記伝熱板の前記仕切り部と連続している部分と反対側と連続し、前記伝熱板を支持する支持部と、前記仕切り部及び前記支持部の端部より突出し、前記回路基板の前記電子部品が実装された面と反対側の面より突出し外部基板に半田付けされる脚片とを備えている請求項１から請求項５のいずれかに記載のチューナユニット。
【請求項７】
前記シールドケースは前記側壁と連結され、前記電子部品の近傍に配置される仕切り部材を備えており、
前記仕切り部材は、前記回路基板の前記側壁で囲まれている部分を前記電子部品が含まれるように区画する仕切り部と、前記仕切り部と連続し、前記回路基板の前記電子部品が実装された部分の裏側と接触する伝熱板と、前記伝熱板の前記仕切り部と連続している部分と反対側と連続し、前記伝熱板を支持する支持部と、前記仕切り部及び前記支持部の端部より突出し、前記回路基板の前記電子部品が実装された面と反対側の面より突出し外部基板に半田付けされる脚片とを備えている請求項１から請求項５のいずれかに記載のチューナユニット。
【請求項８】
前記シールドケースは前記側壁と連結され、前記電子部品の近傍に配置される仕切り部材を備えており、
前記仕切り部材は、前記回路基板の前記側壁で囲まれている部分を前記電子部品が含まれるように区画する一対の仕切り部と、前記一対の仕切り部と連続し、前記電子部品の表面を接触して覆う伝熱板と、前記一対の仕切り部それぞれの端部より突出し、前記回路基板の前記電子部品が実装された面と反対側の面より突出し外部基板に半田付けされる脚片とを備えている請求項１から請求項５のいずれかに記載のチューナユニット。
【請求項９】
前記シールドケースは前記側壁と連結され、前記電子部品の近傍に配置される仕切り部材を備えており、
前記仕切り部材は、前記回路基板の前記側壁で囲まれている部分を前記電子部品が含まれるように区画する一対の仕切り部と、前記一対の仕切り部と連続し、前記回路基板の前記電子部品が実装されている部分の裏面と接触する伝熱板と、前記一対の仕切り部それぞれの端部より突出し、前記回路基板の前記電子部品が実装された面と反対側の面より突出し外部基板に半田付けされる脚片とを備えている請求項１から請求項５のいずれかに記載のチューナユニット。
【請求項１０】
前記脚片の少なくともひとつは、前記回路基板と半田付けされている請求項６から請求項９のいずれかに記載のチューナユニット。
【請求項１１】
前記シールドケースは前記側壁で囲まれた部分の両側を覆うシールドカバーを備えており、
前記シールドカバーの前記外部基板と対向する側には、中間部を切り曲げて形成された舌片部が備えられており、
前記舌片部は前記電子部品の表面と接触する伝熱部と、前記伝熱部と前記シールドカバーとを連結する連結部と、前記連結部の近傍に配置され外部基板に接続される接続部とを備えている請求項１から請求項５、請求項７、請求項９のいずれかに記載のチューナユニット。
【請求項１２】
前記シールドケースは前記側壁で囲まれた部分の両側を覆うシールドカバーを備えており、
前記シールドカバーの前記外部基板と対向する側には、中間部が切り曲げられて形成された舌片部が備えられており、
前記舌片部は前記回路基板の前記電子部品が実装されている部分の裏面と接触する伝熱部と、前記伝熱部と前記シールドカバーとを連結する連結部と、前記連結部の近傍に配置され外部基板に接続される接続部とを備えている請求項１から請求項５、請求項６、請求項８のいずれかに記載のチューナユニット。
【請求項１３】
前記シールドケースは前記電子部品が実装されている部分の近傍に、前記側壁と一体化されて配置される平面部を有しており、
前記平面部は前記平板部と離間されているとともに、雌ねじ孔を備えている請求項１から請求項１２のいずれかに記載のチューナユニット。
【請求項１４】
請求項１から請求項１３のいずれかに記載のチューナユニットを備えたことを特徴とする薄型テレビ受信機。
【発明の詳細な説明】
【技術分野】
【０００１】
本発明は、ＬＣＤ(液晶パネル)やＰＤＰ(プラズマディスプレイパネル)等を使用した薄型テレビ受信機に搭載可能なチューナユニット及びこのチューナユニットを用いた薄型テレビ受信機に関するものである。
【背景技術】
【０００２】
近年、テレビ受信機として、従来のブラウン管型のテレビ受信機に対し、低消費電力化、大画面化及び省スペース化に有利なＬＣＤやＰＤＰを使用した薄型テレビ受信機が主流となっている。前記薄型テレビ受信機は本体自体が薄型であるため、それに内蔵されるチューナに対しても薄型化が要求される。
【０００３】
従来のチューナについて図面を参照して説明する。図１５は従来のチューナの斜視図である。図１５に示すように、チューナ９１は、回路基板９２と、回路基板９２を取り囲むように配置されたシールドケース９３と、回路基板９２のシールドケース９３で囲まれた領域を分割する仕切り部９３２と、シールドケース９３の下部に突出した脚部９３３と、シールドケース９３の側面より突出し、アンテナケーブルが接続されるアンテナ入力端子９４とを備えている。なお、シールドケース９３の上面は金属製のカバー（不図示）が取り付けられている。チューナ９１は回路基板９２が薄型テレビ受信機のメイン基板（不図示）に脚部９３３を挿通させてメイン基板に取り付けられる（特開平１０−２８４８６６号公報、特開２００２−１９０６８４号公報参照）。
【０００４】
従来のチューナを用いた薄型テレビ受信機について図面を参照して説明する。図１６は従来の薄型テレビ受信機の断面図である。図１６に示す薄型テレビ受信機Ｂは、液晶ディスプレイパネルを用いた液晶表示ユニットＬＵを、フロントキャビネットＦｃと、リヤキャビネットＲｃで覆う構造を有している。液晶表示ユニットＬＵの背面側、すなわち、リヤキャビネットＲＣ側には、メイン基板ＭＢ（外部基板）が取り付けられており、メイン基板ＭＢにチューナ９１が実装されている。  チューナ９１ではアンテナ入力端子９４がテレビ受信機の厚み方向と直交する方向に伸びている。薄型テレビ受信機Ｂのでは、リヤキャビネットＲｃの背面形状を、アンテナ入力端子９４にアンテナ線を接続するために複雑な形状（例えば、図１６に示すような）とする必要があり、製造、組み立てに手間と時間がかかる。また、アンテナ入力端子９４へのアンテナ線の接続もわずらわしい。
【０００５】
この問題点を解決した改良型のチューナが提案されている。前記改良型のチューナについて図面を参照して説明する。図１７は図１５に示すチューナの改良型のチューナの斜視図である。図１７に示すチューナ９５は図１５に示すチューナ９１とアンテナ入力端子９４の取り付け位置が異なる以外は同じ構成を有しており、実質上同じ部分には同じ符号が付してあり、実質上同じ部分の詳細な説明は省略する。図１７に示すチューナ９５は、シールドケース９３の開口に回路基板９２と平行な平板部９３４が形成されており、その平板部９３４に対して直交方向に突出するようにアンテナ入力端子９４が配置されている（特開２００４−１３４８４２号公報参照）。
【０００６】
アンテナ入力端子９４をテレビ受信機の厚さ方向に突出させるので、テレビ受信機のキャビネット（背面）の形状を単純化することができ（平坦に形成することができ）、加工が容易である。また、アンテナ線をアンテナ入力端子への接続も容易に行うことができる。
【先行技術文献】
【特許文献】
【０００７】
【特許文献１】特開平１０−２８４８６６号公報
【特許文献２】特開２００２−１９０６８４号公報
【特許文献３】特開２００４−１３４８４２号公報
【発明の概要】
【発明が解決しようとする課題】
【０００８】
チューナのユニット化、すなわち、テレビセットの機能ＩＣをチューナ側に組み込んでチューナユニットとすることで、発熱体（電子部品：ＩＣ）が増え、また、前記ＩＣの高性能化によるＩＣ自体の発熱量の増加によって、前記アンテナ入力端子への伝熱量が増えている。
【０００９】
図１７に示すように、チューナ９５はアンテナ入力端子９４を支持する平板部９３４が備えられていることから、チューナ９５の回路基板９２に実装されている電子部品９２１（ＩＣ９２１）からの熱がアンテナ入力端子９４へ伝える伝熱面が大きくなり、アンテナ入力端子９４への伝熱量が多くなる。また、電子部品９２１（ＩＣ９２１）からアンテナ入力端子９４までの距離が短く、伝熱量が多くなる。チューナ９５では、チューナ９１に比べてアンテナ入力端子９４の温度が高くなる。
【００１０】
一方、図１７に示すチューナ９５を備えた薄型テレビ受像機において、アンテナ入力端子９４の先端部はリヤキャビネットの背面側より突出しており、作業者や使用者が容易に触れることができる構成になっている。
【００１１】
上述したように、アンテナ入力端子９４が高温になっている場合、その先端部分の温度も高くなっており、作業者や使用者がアンテナ入力端子９４の薄型テレビ受像機から突出した先端部分に触れることで、苦痛や不快感を感じる可能性が高くなる。
【００１２】
アンテナ入力端子への熱伝導を抑制するために、特開２００２−１９０６８４号公報に記載のチューナは、デジタル回路部のＩＣに、金属製の伝熱板部を当接させ、伝熱板部の放熱面部より外部に放熱する放熱装置を備えている。しかしながら、この放熱装置はＩＣの熱を外気（空気中）へ伝える構成であり、放熱面部から空気への熱抵抗が非常に高く、放熱効果が十分でなく、アンテナ入力端子の温度の上昇を抑制できない場合がある。
【００１３】
本発明はかかる点にかんがみてなされたものであり、アンテナ入力端子が高温になるのを抑制し、作業者や使用者が前記アンテナ入力端子の外部に露出した部分に触れても熱による苦痛や不快感を感じにくいチューナ及びこのチューナを備えた薄型テレビ受信機を提供することを目的とする。
【課題を解決するための手段】
【００１４】
上記目的を達成するために本発明は、電子部品が実装された回路基板と、前記回路基板を囲む複数の側壁及び前記側壁と一体化され前記回路基板と対向配置された平板部を具備したシールドケースと、前記平板部に取り付けられた外部接続端子とを有するチューナユニットであって、前記シールドケースは前記平板部が配置された第１領域と、前記回路基板の電子部品が実装されている部分を囲む第２領域とを備えている。
【００１５】
この構成によると、発熱量の大きな電子部品から離れた位置に平板部が形成されており、前記平板部に外部接続端子が取り付けられているので、前記電子部品から発せられた熱が前記外部接続端子に到達するまでの距離が長い。
【００１６】
これにより、前記電子部品から前記外部接続端子までの熱抵抗が大きくなり、前記外部接続端子に伝わる熱の量を低減することができる。そして、前記外部接続端子への伝熱量が低減されることで、前記外部接続端子が高温になるのを抑制することができる。さらに、前記外部接続端子の先端部に皮膚が接触しても、皮膚の接触した部分に熱による苦痛や不快感を感じにくい。
【００１７】
上記構成において、前記平板部は前記外部接続端子と接触する少なくとも３個の突起を備えた外部接続端子取付部を備えていてもよい。
【００１８】
この構成によると、前記平板部に伝わってきた熱は、前記突起を介して前記外部接続端子に伝導するが、前記突起と前記外部接続端子との接触面積が小さいので、前記外部接続端子取付部と前記外部接続端子との間の熱抵抗が大きく、熱が伝わりにくい。これにより、前記外部接続端子が加熱されにくく、先端に皮膚が接触した場合でも、皮膚の接触部に熱による苦痛や不快感を感じるのを抑制することができる。
【００１９】
上記構成において、前記シールドケースは、前記側壁に形成され外部基板と接続される複数個の脚部が前記第１領域よりも前記第２領域に多く形成された構造を有していてもよい。
【００２０】
この構成によると、第２領域内の電子部品から発せられる熱が、前記側壁部の前記脚部より前記外部基板に伝導されるので、前記平板部への伝熱量を低減することができる。よって、前記平板部に取り付けられている前記外部接続端子への伝熱量も少なくなり、前記外部接続端子の温度上昇を抑制することができる。これにより、前記外部接続端子の先端部に皮膚が接触しても、前記皮膚の接触部に熱による苦痛や不快感を感じるのを抑制することができる。
【００２１】
上記構成において、前記シールドケースは、前記側壁に前記第１領域から前記第２領域に渡って形成された貫通窓を備えていてもよい。
【００２２】
この構成によると、前記側壁に貫通窓が形成されているので、前記側壁の熱が伝わる部分の面積が小さくなり、それだけ、熱抵抗が大きくなる。これにより、第２領域から第１領域への伝熱量が少なくなり、前記平板部に伝わる伝熱量も少なくなる。よって、前記平板部に取り付けられた前記外部接続端子への伝熱量が少なくなり、前記外部接続端子の温度上昇を抑制することが可能である。前記外部接続端子の先端部に皮膚が接触しても、前記皮膚の接触部に熱による苦痛や不快感を感じるのを抑制することができる。
【００２３】
また、前記貫通窓は、ひとつの大きな貫通孔であってもよく、複数個の貫通孔が並んで形成されている形状（例えば、矩形状の孔が二次元配列された格子状）であってもよい。このように、複数の孔を並べて配置することで、ひとつの孔の大きさを小さくすることができ、熱抵抗を高めつつ、前記側壁の強度低下を抑制することが可能である。
【００２４】
また、前記貫通窓の前記第２領域側の端部の近傍に、少なくともひとつの前記脚部が形成されている構成としてもよい。このように、前記貫通窓の近傍に前記脚部が形成されることで、前記側壁の強度低下を抑制することが可能である。また、前記脚部を配置することで、前記側壁の前記第２領域の熱が前記外部基板に伝わるので、前記平板部へ伝わる伝熱量を減らすことができる。よって、前記平板部に取り付けられた前記外部接続端子への伝熱量が少なくなり、前記外部接続端子の温度上昇を抑制することが可能である。前記外部接続端子の先端部に皮膚が接触しても、前記皮膚の接触部に熱による苦痛や不快感を感じるのを抑制することができる。
【００２５】
上記構成において、前記シールドケースは前記側壁と連結され、前記電子部品の近傍に配置される仕切り部材を備えており、前記仕切り部材は、前記回路基板の前記側壁で囲まれている部分を前記電子部品が含まれるように区画する仕切り部と、前記仕切り部と連続し、前記電子部品の表面を接触して覆う伝熱板と、前記伝熱板の前記仕切り部と連続している部分と反対側と連続し、前記伝熱板を支持する支持部と、前記仕切り部及び前記支持部の端部より突出し、前記回路基板の前記電子部品が実装された面と反対側の面より突出し外部基板に半田付けされる脚片とを備えていてもよい。
【００２６】
前記仕切り部材の前記伝熱板が前記電子部品に直接接触し、前記電子部品より発せられた熱は直接伝熱板に伝わる。そして、前記伝熱板の伝導した熱は、前記仕切り部及び前記支持部に形成された脚片より前記外部基板に伝導される。これにより、前記電子部品とは離れて配置されている前記側壁及び前記側壁と一体化された前記平板部に伝わる熱の量を減らすことができる。よって、前記平板部に取り付けられた前記外部接続端子への伝熱量が少なくなり、前記外部接続端子の温度上昇を抑制することが可能である。前記外部接続端子の先端部に皮膚が接触しても、前記皮膚の接触部に熱による苦痛や不快感を感じるのを抑制することができる。
【００２７】
上記構成において、前記シールドケースは前記側壁と連結され、前記電子部品の近傍に配置される仕切り部材を備えており、前記仕切り部材は、前記回路基板の前記側壁で囲まれている部分を前記電子部品が含まれるように区画する仕切り部と、前記仕切り部と連続し、前記回路基板の前記電子部品が実装された部分の裏側と接触する伝熱板と、前記伝熱板の前記仕切り部と連続している部分の反対側と連続し、前記伝熱板を支持する支持部と、前記仕切り部及び前記支持部の端部より突出し、前記回路基板の前記電子部品が実装された面と反対側の面より突出し外部基板に半田付けされる脚片とを備えていてもよい。
【００２８】
前記仕切り部材の前記伝熱板が前記回路基板の前記電子部品が実装されている部分の裏側と接触しており、前記電子部品から発せられた熱は前記回路基板を介して伝熱板に伝わる。そして、前記伝熱板の伝導した熱は、前記仕切り部及び前記支持部に形成された脚片より前記外部基板に伝導される。これにより、前記電子部品とは離れて配置されている前記側壁及び前記側壁と一体化された前記平板部に伝わる熱の量を減らすことができる。よって、前記平板部に取り付けられた前記外部接続端子への伝熱量が少なくなり、前記外部接続端子の温度上昇を抑制することが可能である。前記外部接続端子の先端部に皮膚が接触しても、前記皮膚の接触部に熱による苦痛や不快感を感じるのを抑制することができる。
【００２９】
上記構成において、前記シールドケースは前記側壁と連結され、前記電子部品の近傍に配置される仕切り部材を備えており、前記仕切り部材は、前記回路基板の前記側壁で囲まれている部分を前記電子部品が含まれるように区画する一対の仕切り部と、前記一対の仕切り部と連続し、前記電子部品の表面を接触して覆う伝熱板と、前記一対の仕切り部それぞれの端部より突出し、前記回路基板の前記電子部品が実装された面と反対側の面より突出し外部基板に半田付けされる脚片とを備えていてもよい。
【００３０】
この構成によると、前記一対の仕切り部の間に前記伝熱部を連結しているので、前記仕切り部材以外の仕切り部材を設けなくても、前記側壁で囲まれた領域を仕切ることが可能である。また、金属板を切り曲げることで（少ない工程で）２個の仕切り部を形成することができるので、製造の手間と時間を減らすことができる。さらに、金属板を切り曲げて形成するときに、脚片が互いに対向するように形成されるので、前記金属板を加工した残りの部分が少なくなり、無駄を減らすことができる。
【００３１】
上記構成において、前記シールドケースは前記側壁と連結され、前記電子部品の近傍に配置される仕切り部材を備えており、前記仕切り部材は、前記回路基板の前記側壁で囲まれている部分を前記電子部品が含まれるように区画する一対の仕切り部と、前記一対の仕切り部と連続し、前記回路基板の前記電子部品が実装されている部分の裏面と接触する伝熱板と、前記一対の仕切り部それぞれの端部より突出し、前記回路基板の前記電子部品が実装された面と反対側の面より突出し外部基板に半田付けされる脚片とを備えていてもよい。
【００３２】
この構成によると、前記一対の仕切り部の間に前記伝熱部を連結しているので、前記仕切り部材以外の仕切り部材を設けなくても、前記側壁で囲まれた領域を仕切ることが可能である。また、金属板を切り曲げることで（少ない工程で）２個の仕切り部を形成することができるので、製造の手間と時間を減らすことができる。さらに、金属板を切り曲げて形成するときに、脚片が互いに対向するように形成されるので、前記金属板を加工した残りの部分が少なくなり、無駄を減らすことができる。
【００３３】
上記構成において、前記脚片の少なくともひとつは、前記回路基板と半田付けされていてもよい。
【００３４】
上記構成において、前記シールドケースは前記側壁で囲まれた部分の両側を覆うシールドカバーを備えており、前記シールドカバーの前記外部基板と対向する側には、中間部が切り曲げられて形成された舌片部が備えられており、前記舌片部は前記電子部品の表面と接触する伝熱部と、前記伝熱部と前記シールドカバーとを連結する連結部と、前記連結部の近傍に配置され外部基板に接続される接続部とを備えていてもよい。
【００３５】
上記構成において、前記シールドケースは前記側壁で囲まれた部分の両側を覆うシールドカバーを備えており、前記シールドカバーの前記外部基板と対向する側には、中間部が切り曲げられて形成された舌片部が備えられており、前記舌片部は前記回路基板の前記電子部品が実装されている部分の裏面と接触する伝熱部と、前記伝熱部と前記シールドカバーとを連結する連結部と、前記連結部の近傍に配置され外部基板に接続される接続部とを備えていてもよい。
【００３６】
上記構成において、前記シールドケースは前記電子部品が実装されている部分の近傍に、前記側壁と一体化されて配置される平面部を有しており、前記平面部は前記平板部と離間されているとともに、雌ねじ孔を備えていてもよい。この雌ねじ孔を使って、外部のケース等に備えられた伝熱部にとも締めすることで、シールドケースの熱を前記伝熱部に伝導させることができる。
【００３７】
上述したチューナユニットを備えた装置として、例えば、ＬＣＤやＰＤＰ等の薄型パネルを用いた薄型テレビ受信機を挙げることができる。
【発明の効果】
【００３８】
本発明によると、アンテナ入力端子が高温になるのを抑制し、作業者や使用者が前記アンテナ入力端子の外部に露出した部分に触れても熱による苦痛や不快感を感じにくいチューナ及びこのチューナを備えた薄型テレビ受信機を提供することができる。
【図面の簡単な説明】
【００３９】
【図１】本発明にかかるチューナユニットが搭載された薄型テレビ受信機の概略側断面図である。
【図２】本発明にかかるチューナユニットの斜視図である。
【図３】図２に示すチューナユニットのアンテナ入力端子が取り付けられている部分の拡大断面図である。
【図４】本発明にかかるチューナユニットの他の例の斜視図である。
【図５】本発明にかかるチューナユニットのさらに他の例の斜視図である。
【図６】本発明にかかるチューナユニットのさらに他の例の側面図である。
【図７】本発明にかかるチューナユニットのさらに他の例の仕切り部材の周りを拡大した図である。
【図８】本発明にかかるチューナユニットのさらに他の例の仕切り部材の周りを拡大した図である。
【図９】本発明にかかるチューナユニットのさらに他の例の仕切り部材の周りを拡大した図である。
【図１０】仕切り部材を製作する前の金属板に切断線及び折り曲げ線を示す図である。
【図１１】本発明にかかるチューナユニットのさらに他の例の仕切り部材の周りを拡大した図である。
【図１２】シールド部を製作する前の金属板に切断線及び折り曲げ線を示す図である。
【図１３】本発明にかかるチューナユニットのさらに他の例の断面図である。
【図１４】本発明にかかるチューナユニットのさらに他の例の平面図である。
【図１５】従来のチューナの斜視図である。
【図１６】図１５に示すチューナを備えた薄型テレビ受信機の断面図である。
【図１７】図１５に示すチューナを改良したチューナの一例の斜視図である。
【発明を実施するための形態】
【００４０】
以下に本発明の実施形態を図面を参照して説明する。図１は本発明にかかるチューナユニットが搭載された薄型テレビ受信機の概略側断面図であり、図２は本発明にかかるチューナユニットの斜視図である。図１に示す薄型テレビ受信機Ａは、液晶ディスプレイパネルを用いた液晶テレビ受信機であり、フロントキャビネットＦｃと、リヤキャビネットＲｃで覆われている。フロントキャビネットＦｃとリヤキャビネットＲｃで覆われた部分に液晶表示パネルを含む液晶表示ユニットＬＵが配置されている。液晶表示ユニットＬＵの背面側、すなわち、リヤキャビネットＲｃ側には、メイン基板ＭＢ（外部基板）が取り付けられており、メイン基板ＭＢにチューナユニット１が実装されている。そして、チューナユニット１の後述するアンテナ入力端子４の先端部がリヤキャビネットＲｃより背面側に突出している。
【００４１】
図２に示すチューナユニット１は薄型テレビ受信機に搭載されるテレビ放送（地上波デジタル放送、衛星デジタル放送）を受信するための回路（ＩＣ）を備えたユニットである。チューナユニット１は、回路基板２と、回路基板２を取り囲むように配置されたシールド部３と、シールド部３に備えられ、アンテナケーブルが接続されるアンテナ入力端子４とを備えている。
【００４２】
回路基板２は平面視長方形状の板状（すなわち、薄い直方体形状）のプリント基板であり、表面に金属（銅、アルミニウム等）の薄膜で形成された配線パターンを備えている。回路基板２上には、複数の電子部品を配線パターンに接続した電気回路が形成されている。電気回路を構成する電子部品の中には発熱量の大きな電子部品（ＩＣ）２１が含まれている。
【００４３】
シールド部３は、ターンシート材やブリキ材等の金属板をプレス加工等によって小型に折り曲げて形成され、回路基板２を覆うように配置される。シールド部３は回路基板２の側部を囲むシールドケース３１と、回路基板２のシールドケース３１で囲まれた領域を分割する仕切り部材３２とを備えている。
【００４４】
シールドケース３１は、長方形状に形成されており、一対の長辺側壁３１１ａ、３１１ｂと一対の短辺側壁３１２ａ、３１２ｂとを有している。一対の長辺側壁３１１ａ、３１１ｂは互いに対向して配置されており、一対の短辺側壁３１２ａ、３１２ｂも互いに対向して配置されている。そして、長辺側壁３１１ａ、３１１ｂと短辺側壁３１２ａ、３１２ｂとは直交し、長辺側壁３１１ａ、短辺側壁３１２ａ、長辺側壁３１１ｂ、短辺側壁３１２ｂはこの順番で連結され、直方体形状の回路基板２を側面方向から囲んでいる。そして、長辺側壁３１１ａ、３１１ｂ及び短辺側壁３１２ａ、３１２ｂと回路基板２とは直交している。
【００４５】
長辺側壁３１１ａ、３１１ｂの長手方向の両端部には、さらに長手方向に突出した突出部が形成されている。また、短辺側壁３１２ａ、３１２ｂの長手方向の両端部の近傍には長辺側壁３１１ａ、３１１ｂに形成されている突出部に対応する位置に開口が形成されている。長辺側壁３１１ａ、３１１ｂの突出部を短辺側壁３１２ａ、３１２ｂの開口にはめ込み、突出部の開口より突出している部分をかしめることで、隣り合う側壁同士が連結固定される。
【００４６】
そして、長辺側壁３１１ａ、３１１ｂの長手方向両端部の下方には、下方に突出した脚部３１３が形成されている。脚部３１３はメイン基板ＭＢに形成されている開口に挿入され、半田付け等がなされることで、シールドケース３１とメイン基板ＭＢとが電気的に接続され、チューナユニット１がメイン基板ＭＢ上に固定される。なお、脚部３１３はメイン基板ＭＢの接地配線に接続されており、シールド部３全体が接地された状態になっている。
【００４７】
なお、図２に示すチューナユニット１では、シールドケース３１の脚部３１３は長辺側壁３１１ａ、３１１ｂに形成されているが、短辺側壁３１２ａ、３１２ｂに形成されているものであってもよく、両方に形成されていてもよい。
【００４８】
また、シールドケース３１は少なくとも１個の外部接続端子を支持する平板部３１４を備えている。なお、本実施形態では、外部接続端子として１個のアンテナ入力端子４を備えている場合について説明する。
【００４９】
平板部３１４は回路基板２と対向して配置されており、平板部３１４は回路基板２を囲む複数の側壁のうち、長辺側壁３１１ａ、３１１ｂ及びこれら２側壁を連結する１個の短辺側壁３１２ａと一体的に作製されている。つまり、平板部３１４は互いに対向配置された長辺側壁３１１ａ、３１１ｂと一体的に形成されているとともに、これら２個の長辺側壁３１１ａ、３１１ｂを連結する短辺側壁３１２ａと一体的に形成されている。
【００５０】
平板部３１４と長辺側壁３１１ａ、３１１ｂ及び短辺側壁３１２ａとが一体化されたシールドケース３１は、１枚の金属板が平板部３１４を基準に、側部をプレス加工で箱型に折り曲げられることで作製される。金属板をプレス加工することで、長辺側壁３１１ａ、３１１ｂの上部及び短辺側壁３１２ａの上部で一体化された平板部３１４を得ることができる。平板部３１４の詳細については後述する。
【００５１】
シールドケース３１には、回路基板２の長辺側壁３１１ａ、３１１ｂ、短辺側壁３１２ａ、３１２ｂで囲まれた領域を仕切るための仕切り部材３２が備えられている。仕切り部材３２は上述の側壁と同じ金属板で形成された長方形状の板材であり、回路基板２に対し垂直となるように配置される。なお、図２に示すシールド部３では仕切り部材３２が１個備えられているが、それに限定されるものではなく、仕切る領域にあわせて複数個備えていてもよい。また、仕切り部材３２は仕切る領域の形状に合わせて、屈曲するように形成されているものであってもよい。
【００５２】
仕切り部材３２は、回路基板２及び長辺側壁３１１ａ、３１１ｂと直交するように配置されている。長辺側壁３１１ａ、３１１ｂ、短辺側壁３１２ａ、３１２ｂと同様に長手方向の端部に、さらに長手方向に突出した突出部（不図示）を備えている。この突出部を長辺側壁３１１ａ、３１１ｂ対応位置に形成された開口（不図示）に嵌め込み、かしめることで固定される。これにより、仕切り部材３２は長辺側壁３１１ａ、３１１ｂに接続、固定される。仕切り部材３２を取り付けることで、シールドケース３１は補強される。なお、仕切り部材３２の突出部をかしめる開口は、短辺側壁３１２ａ、３１２ｂ又は別の仕切り部材３２に形成されていてもよい。また、仕切り部材３２の下部に脚部（不図示）が形成されており、脚部が回路基板２及びメイン基板ＭＢを貫通するとともにそれぞれの基板に形成されている配線パターンに半田付けにて固定されていてもよい。
【００５３】
仕切り部材３２は、シールドケース３１を補強する役目を果たしているとともに、仕切り部材３２で仕切られた領域のうち、異なる領域に形成された複数の電気回路（電子部品）同士のアイソレーションを確保するための仕切りとしての役目も果たしている。
【００５４】
平板部に取り付けられたアンテナ入力端子の詳細について図面を参照して説明する。図３は図２に示すチューナユニットのアンテナ入力端子が取り付けられている部分の拡大断面図である。
【００５５】
図３に示すように、平板部３１４にはアンテナ入力端子取付孔３１６を備えたアンテナ入力端子取付部３１５（外部接続端子取付部）が形成されている。アンテナ入力端子取付部３１５はアンテナ入力端子取付孔３１６の周囲に形成された３個の突起３１７も備えている。突起３１７は平板部３１４を回路基板２側から押して突出させた球面形状の凸部である。突起３１７はアンテナ入力端子取付孔３１６を取り囲むように配置されている。３個の突起３１７はそれぞれの先端部の平板部３１４からの長さが等しくなるように形成されている。なお、突起３１７はアンテナ入力端子取付孔３１６を中心に周方向の間隔が等しくなるように形成されている。
【００５６】
なお、シールドケース３１のアンテナ入力端子取付部３１５では、３個の突起３１７が形成されているが、それに限定されるものではない。突起３１７と当接される後述の台座部４１が平面状であることより、少なくとも３個以上形成されていることが好ましい。
【００５７】
アンテナ入力端子４は外部のアンテナケーブル（不図示）と接続されるものであり、円柱形状を有している。アンテナ入力端子４は軸方向の中間部にフランジ状に形成された台座部４１を備えている。なお、台座部４１はアンテナ入力端子４の中心軸と直交している。アンテナ入力端子４は台座部４１を境界として一方の端部はアンテナ入力端子取付孔３１６を貫通し、回路基板２側に突出している。アンテナ入力端子４はアンテナ入力端子取付孔３１６から突出した端部をかしめることで、台座部４１が突起３１７に押し付けられ、アンテナ入力端子４が固定される。なお、アンテナ入力端子４のアンテナ入力端子取付孔３１６から突出した端部は絶縁性を有するとともに、熱伝導率の低い材料で形成されている。
【００５８】
フランジ状の台座部４１は３個の突起３１７の先端と接触している。アンテナ入力端子４は台座部４１が突起３１７と接触することで接地されている。各突起部３１７の先端は平板部３１４から等距離であるので、台座部４１の突起３１７と接している面は、平板部３１４と平行となっており、アンテナ入力端子４の中心軸は平板部３１４に対して直交している。すなわち、アンテナ入力端子４はアンテナケーブルと接続する先端部が平板部３１４に対して垂直に突出して固定されている。
【００５９】
次に、チューナユニット１の熱について説明する。チューナユニット１は駆動されることで、各電気回路に通電され、そのときの電気回路の抵抗によって発熱する。特に高周波で駆動するＩＣ２１の発熱量は大きく、ＩＣ２１からの発熱は、ＩＣ２１の近傍に配置されているシールドケース３１に伝達される。
【００６０】
シールドケース３１に伝達された熱は、長辺側壁３１１ａ、３１１ｂを伝導し、メイン基板ＭＢの脚部３１３と接続している部分に伝導したのち外部に放出される。一方、熱は長辺側壁３１１ａ、３１１ｂを介して、平板部３１４にも伝導される。平板部３１４に伝導された熱は、アンテナ入力端子取付部３１５を介してアンテナ入力端子４に伝導される。
【００６１】
上述したように、アンテナ入力端子４の台座部４１と突起３１７との接触面積が非常に小いので、突起３１７と台座部４１との間の熱抵抗が高い（熱伝導率が低い）。平板部３１４から台座部４１への熱伝導が起こりにくい。その結果、アンテナ入力端子４には熱が伝わりにくく、温度上昇が抑えられる。これにより、アンテナ入力端子４のリヤキャビネットＲｃから外部に突出した部分が高温になるのを抑制し、作業者及び（又は）使用者が触れたときに不快感、苦痛を感じるのを抑制することができる。
【００６２】
図３に示すアンテナ入力端子取付部３１５の突起３１７は、切断した球形状のものであるが、それに限定されるものではなく、円錐、三角錐、四角錐等の多角形錐であってもよい。突起がアンテナ入力端子４の台座部４１をシールドケース３１の平板部３１４と平行となるように支持することができるものを広く採用することができる。また、貫通孔３１６を中心に放射状に伸びる凸条形状、貫通孔３１６を囲むように連続又は断続的に形成された円周形状の凸条形状のものも挙げることができる。
【００６３】
本発明にかかるチューナユニットの他の例について図面を参照して説明する。図４は本発明にかかるチューナユニットの他の例の斜視図である。図４に示すチューナユニット１Ｂはシールドケース３１Ｂが異なる以外は、図２に示すチューナユニット１と同じ構成を有するものであり、実質上同じ部分には、同じ符号が付してある。また、実質上同じ部分の詳細な説明を省略する。
【００６４】
説明の便宜上、チューナユニット１Ｂを、平板部３１４が形成されている第１領域Ａｒ１と、それ以外の第２領域Ａｒ２と分ける（図４参照）。図４に示すチューナユニット１Ｂにおいて、発熱量の多いＩＣ２１を備える電気回路は第２領域Ａｒ２内に形成されている。図４に示すように、シールドケース３１Ｂの長辺側壁３１１ａ、３１１ｂの第２領域Ａｒ２の部分には、脚部３１３ａが２個ずつ形成されている。また、第２領域Ａｒ２に配置される短辺側壁３１２ｂの長手方向両端部にも脚部３１３ｂが形成されている。
【００６５】
チューナユニット１Ｂが駆動されると、電気回路に含まれるＩＣ２１が発熱する。ＩＣ２１からの熱はシールドケース３１の長辺側壁３１１ａ、３１１ｂの第２領域に属する部分及び短辺側壁３１２ｂに伝達される。長辺側壁３１１ａ、３１１ｂに伝達された熱は脚部３１３ａを介してメイン基板ＭＢに伝導される。また、短辺側壁３１２ｂに伝達された熱も同様に脚部３１３ｂを介してメイン基板ＭＢに伝導される。
【００６６】
ＩＣ２１からの熱は、脚部３１３ａ、３１３ｂを介してメイン基板ＭＢに伝導されるので、長辺側壁３１１ａ、３１１ｂの第１領域Ａｒ１に属する部分に伝導される熱の量を減らすことができる。そして、平板部３１４への熱の伝導を抑え、平板部３１４に取り付けられたアンテナ入力端子４に伝導される熱の量を低減することができる。これにより、アンテナ入力端子４のリヤキャビネットＲｃから外部に突出した部分が高温になるのを抑制し、作業者及び（又は）使用者が触れたときに不快感、苦痛を感じるのを抑制することができる。
【００６７】
本発明にかかるチューナユニットのさらに他の例について図面を参照して説明する。図５は本発明にかかるチューナユニットのさらに他の例の斜視図である。図５に示すチューナユニット１Ｃは長辺側壁３１８ａ、３１８ｂが異なる以外は、図１、図２に示すチューナユニット１と同じ構成を有しており、実質上同じ部分には同じ符号が付してある。なお、同じ部分についての詳細な説明は省略する。
【００６８】
図５に示すように、チューナユニット１Ｃの長辺側壁３１８ａ、３１８ｂは、第１領域Ａｒ１と第２領域Ａｒ２との境界付近に形成された、貫通する貫通窓３１８ｃを備えている。貫通窓３１８ｃが形成されている部分では、貫通窓３１８ｃが形成されているので長辺側壁３１８ａ、３１８ｂの断面積が小さく、熱抵抗が大きい。これにより、ＩＣ２１から伝達された熱は長辺側壁３１８ａ、３１８ｂの第２領域Ａｒ２側から第１領域Ａｒ１側に伝導しにくく、第１領域Ａｒ１に配置される平板部３１４への熱の伝導を抑え、アンテナ入力端子４に伝導される熱の量を低減することができる。これにより、アンテナ入力端子４のリヤキャビネットＲｃから外部に露出した部分が高温になるのを抑制し、作業者及び（又は）使用者が触れたときに不快感、苦痛を感じるのを抑制することができる。
【００６９】
チューナユニット１Ｃでは、貫通窓３１８ｃはひとつの矩形状の貫通孔で形成されているが、それに限定されるものではなく、楕円形や矩形状以外の多角形状であってもよい。また、小さい開口を複数個、所定の順番で並べて形成した窓であってもよい。一つ一つの開口を小さくすることができ、長辺側窓３１８ａ、３１８ｂの強度の低下を抑制することが可能である。
【００７０】
本発明にかかるチューナユニットのさらに他の例について図面を参照して説明する。図６は本発明にかかるチューナユニットのさらに他の例の側面図である。図６に示すチューナユニット１Ｄにおいて、長辺側壁３１８ａ、３１８ｂの第１領域Ａｒ１に属する部分には貫通窓３１８ｃが形成されている。それ以外の部分は図４に示すチューナユニット１Ｂと同様の構成を有しており、実質上同じ部分には同じ符号が付してある。なお、実質上同じ部分の詳細な説明に関しては省略する。なお、図６には、便宜上、長辺側壁３１１ａ側から見た側面図を示しているが、反対側も鏡像関係になる以外は同様の形状となっている。
【００７１】
図６に示すように、長辺側壁３１８ａ、３１８ｂの第１領域に属する部分には貫通窓３１８ｃが形成されている。貫通窓３１８ｃはその端部が、第１領域Ａｒ１の第２領域Ａｒ２との境界と重なるように形成されている。そして、脚部３１３ｃは、その第１領域Ａｒ１側の端部が貫通窓３１８ｃの第２領域Ａｒ２側の端部（図中点線Ｌ１で示す）と一致するように形成されている。すなわち、貫通窓３１８ｃの第２領域Ａｒ２側の端部と、脚部３１３ｃ側の第１領域Ａｒ１側の端部とが一点鎖線Ｌ１上に並んでいる。
【００７２】
長辺側壁３１８ａ、３１８ｂには脚部３１３ｃが形成されているので、ＩＣ２１で発生し、長辺側壁３１８ａ、３１８ｂに伝達された熱は脚部３１３ｃを介してメイン基板ＭＢに伝導される。また、貫通窓３１８ｃが形成されていることで長辺側壁３１８ａ、３１８ｂの第１領域Ａｒ１における熱抵抗は高くなっている。このことからも、ＩＣ２１から長辺側壁３１８ａ、３１８ｂに伝達された熱は、長辺側壁３１８ａ、３１８ｂの第１領域Ａｒ１を介して熱抵抗が小さい脚部３１３ｃを介してメイン基板ＭＢにより多く伝導される。これらのことより、ＩＣ２１から長辺側壁３１８ａ、３１８ｂに伝達された熱は、脚部３１３ｃを介してメイン基板ＭＢに伝導し、第１領域Ａｒ１で長辺側壁３１８ａ、３１８ｂと連結された平板部３１４に伝導しにくい。よって、平板部３１４に取り付けられたアンテナ端子４にも熱が伝導されにくく、アンテナ端子４の温度は上昇しにくい。
【００７３】
また、脚部３１３ｃを貫通窓３１８ｃの近傍に配置しているので、貫通窓３１８ｃによる長辺側壁３１８ａ、３１８ｂの強度の低下を抑制することが可能である。以上のことより、電気回路（特に、ＩＣ２１）から発生した熱がアンテナ端子４に伝わりにくく、アンテナ入力端子４のリヤキャビネットＲｃから外部に露出した部分が高温になるのを抑制し、作業者及び（又は）使用者が触れたときに不快感、苦痛を感じるのを抑制することができる。
【００７４】
なお、チューナユニット１Ｄでは、貫通窓３１８ｃの第２領域Ａｒ２側の端部と、脚部３１３ｃの第１領域Ａｒ１側の端部とが一直線上に並んで形成されているが、それに限定されるものではなく、貫通窓３１８ｃと脚部３１３ｃとが上下に重なるように形成されていてもよいし、重ならないようにずれていてもよい。シールドケース３１の強度を維持しつつ、熱がアンテナ端子４に伝わらないように、第１領域Ａｒ１の熱抵抗が高く、第２領域Ａｒ２には熱を逃がすための脚部３１３ｃが形成されているものを広く採用することができる。なお、強度を維持するとともに、脚部３１３ｃの数を増やし過ぎないようにするために、脚部３１３ｃは第１領域Ａｒ１と第２領域Ａｒ２との境界上又は境界近傍に形成されていることが好ましい。
【００７５】
本発明にかかるチューナユニットのさらに他の例について図面を参照して説明する。図７は本発明にかかるチューナユニットのさらに他の例の図である。図７（Ａ）は本発明にかかるチューナユニットの平面図であり、図７（Ｂ）は図７（Ａ）に示すチューナユニットの正面側から見た断面図であり、図７（Ｃ）は図７（Ａ）に示すチューナユニットを側面側から見た断面図である。図７に示すようにチューナユニット１Ｅは、仕切り部材３３を備えている以外は、図２、図３に示すチューナユニット１と同様の構成を有しており、実質上同じ部分には同じ符号が付してある。なお、実質上同じ部分の詳細な説明は省略する。
【００７６】
チューナユニット１Ｅは仕切り部材３２の代わりに仕切り部材３３を備えている。仕切り部材３２同様、仕切り部材３３はシールドケース３１の長辺側壁３１１ａ、３１１ｂ、短辺側壁３１２ａ、３１２ｂで囲まれた領域を分割している。仕切り部材３３は金属板をプレス加工等の機械加工にて、切り曲げて形成される。仕切り部材３３は領域を分割する仕切り部３３１と、仕切り部３３１と連結され、ＩＣ２１から発生した熱が伝導される伝熱板３３２と、伝熱板３３２と一体に連結され伝熱板３３２を支持する支持部３３３とを備えている。
【００７７】
仕切り部３３１は仕切り部材３２と同様の形状を有しており、長方形状の板状部材である。仕切り部３３１は仕切り部材３２と同様に両端部に突出部を長辺側壁３１１ａ、３１１ｂ、短辺側壁３１２ｂ、仕切り部材３２に設けられた開口に嵌め込み、かしめることで固定される。そして、仕切り部３３１の下端部は下方に突出形成された２個の脚片３３４を備えている。
【００７８】
伝熱板３３２は長方形板状に形成されており、長手方向の一方の端部が仕切り部３３１と一体となるように形成されている。そして、伝熱板３３２はＩＣ２１のパッケージと直接接触するように取り付けられる。支持部３３３は伝熱板３３２の長手方向の端部のうち、仕切り部３３１と接続していない端部と一体となるように接続されている。具体的には、伝熱板３３２の仕切り部３３１と反対側の端部を折り曲げることで形成される。支持部３３３も仕切り部３３１と同様、下端部に２個の脚片３３４を備えている。
【００７９】
脚片３３４は回路基板２に設けられている貫通孔（スリット）２２を貫通し、メイン基板ＭＢに半田付けされている。また、脚片３３４と回路基板２とも半田付けされており、仕切り部材３３と回路基板２及びメイン基板ＭＢとは固定されており、それぞれの基板に形成されている配線パターンと電気的に接続されている。なお、脚片３３４が接続されるのは回路基板２及びメイン基板ＭＢの表面に形成されている配線パターンの接地配線である。
【００８０】
仕切り部材３３を取り付けることで、ＩＣ２１の駆動によって発生した熱は、ＩＣ２１に接触配置されている伝熱板３３２に伝導する。ここで、仕切り部材３３が金属で形成されているので、ＩＣ２１から伝熱板３３２への熱抵抗の方が、ＩＣ２１から空気への熱抵抗に比べて小さいので、ＩＣ２１で発生した熱の多くは伝熱板３３２に伝導する。伝熱板３３２に伝導した熱は、仕切り部３３１及び支持部３３３に伝導し、脚片３３４を介してメイン基板ＭＢに伝導する。
【００８１】
このように仕切り部３３１を設けることで、ＩＣ２１から大気（空気）を介して長辺側壁３１１ａ、３１１ｂ及び短辺側壁３１２ｂに伝わる熱の量を大幅に減らすことができ、平板部３１４に伝導される熱の量を減らすことが可能である。これにより、平板部３１４に取り付けられたアンテナ入力端子４へ熱が伝わりにくい。以上のことより、電気回路（特に、ＩＣ２１）から発生した熱がアンテナ端子４に伝わりにくく、アンテナ入力端子４のリヤキャビネットＲｃから外部に露出した部分が高温になるのを抑制し、作業者及び（又は）使用者が触れたときに不快感、苦痛を感じるのを抑制することができる。
【００８２】
なお、ＩＣ２１と伝熱板３３２との間に、伝熱グリスや伝熱ジェル等の熱の伝導性を高めるための伝熱部材を介在させてもよい。このような伝熱部材を介在させることで、伝熱部材が配置されていない場合に比べて、ＩＣ２１で発生した熱が伝熱板３３２に伝導しやすく、メイン基板ＭＢに伝導されるので、アンテナ入力端子４に伝わる熱の量を減らすことが可能である。図７に示す、仕切り部材３３は、脚片３３４が仕切り部３３１及び支持部３３３から２個ずつ突出しており、そのいずれもが回路基板２及びメイン基板ＭＢに半田付けされているものが記載されているが、これに限定されるものではない。すなわち、脚片３３４は仕切り部材３３を確実に、安定して回路基板２及びメイン基板ＭＢに固定できる個数であればよく、半田付けも確実、安定して固定でき、電気的に接続する必要がなければ省略してもかまわない。
【００８３】
本発明にかかるチューナユニットのさらに他の例について図面を参照して説明する。図８は本発明にかかるチューナユニットのさらに他の例の図である。図８（Ａ）は本発明にかかるチューナユニットの平面図であり、図８（Ｂ）は図８（Ａ）に示すチューナユニットの正面側から見た断面図であり、図８（Ｃ）は図８（Ａ）に示すチューナユニットを側面側から見た断面図である。図８に示すようにチューナユニット１Ｆは、回路基板２へのＩＣ２１の取付位置と、仕切り部材３４が異なる以外は、図７に示すチューナユニット１Ｅと同様の構成を有しており、実質上同じ部分には同じ符号が付してある。なお、実質上同じ部分の詳細な説明は省略する。図８に示すように、回路基板２の場合、配線パターンが形成されている側、すなわち、半田付けを行う側（図中下側）にＩＣ２１が取り付けられている。
【００８４】
図８に示すように、仕切り部材３４は、金属板をプレス加工等の機械加工にて、切り曲げて形成される。仕切り部材３４は基板上の領域を分割する仕切り部３４１と、仕切り部３４１と連結され、ＩＣ２１から発生した熱が伝導される伝熱板３４２と、伝熱板３４２と一体に連結され伝熱板３４２を支持する支持部３４３とを備えている。
【００８５】
仕切り部３４１は仕切り部材３２と同様の形状を有しており、長方形状の板状部材である。仕切り部３４１は仕切り部材３２と同様に両端部に突出部を長辺側壁３１１ａ、３１１ｂ、短辺側壁３１２ｂ、仕切り部材３２に設けられた開口に嵌め込み、かしめることで固定される。そして、仕切り部３４１の下端部は下方に突出形成された２個の脚片３４４を備えている。
【００８６】
伝熱板３４２は長方形板状に形成されており、長手方向の一方の端部が仕切り部３４１と一体となるように形成されている。そして、伝熱板３４２は回路基板２のＩＣ２１が実装されている部分の反対側の面と接触して取り付けられる。支持部３４３は伝熱板３４２の長手方向の端部のうち、仕切り部３４１と接続していない端部と一体となるように接続されている。具体的には、伝熱板３４２の仕切り部３４１と反対側の端部を折り曲げることで形成される。支持部３４３も仕切り部３４１と同様、下端部に２個の脚片３４４を備えている。
【００８７】
脚片３４４は回路基板２に設けられている貫通孔（スリット）２２を貫通し、メイン基板ＭＢに半田付けされている。また、脚片３４４と回路基板２とも半田付けされており、仕切り部材３４と回路基板２及びメイン基板ＭＢとは固定されており、それぞれの基板に形成されている配線パターンと電気的に接続されている。なお、脚片３４４が接続されるのは回路基板２及びメイン基板ＭＢの表面に形成されている配線パターンの接地配線である。
【００８８】
ＩＣ２１の駆動によって発生した熱は、ＩＣ２１と接触している回路基板２に伝導し、回路基板２のＩＣ２１が実装されている部分の反対面に接触配置されている伝熱板３４２に伝導する。伝熱板３４２に伝導した熱は、仕切り部３４１及び支持部３４３に伝導し、脚片３４４を介してメイン基板ＭＢに伝導する。
【００８９】
このように仕切り部３４１を設けることで、ＩＣ２１から大気（空気）を介して長辺側壁３１１ａ、３１１ｂ及び短辺側壁３１２ｂに伝わる熱の量を減らすことができ、平板部３１４に伝導される熱の量を減らすことが可能である。以上のことより、電気回路（特に、ＩＣ２１）から発生した熱がアンテナ端子４に伝わりにくく、アンテナ入力端子４のリヤキャビネットＲｃから外部に露出した部分が高温になるのを抑制し、作業者及び（又は）使用者が触れたときに不快感、苦痛を感じるのを抑制することができる。
【００９０】
なお、回路基板２は、金属に比べて熱抵抗の高い樹脂（或いは、紙、ガラス等の基材を樹脂で固めたもの）で形成されており、ＩＣ２１から伝熱板３４２への熱抵抗が大きくなり伝熱量が小さくなる。その分、熱は空気中に伝達されるが、ＩＣ２１がメイン基板ＭＢに向かって（図中では下方）、すなわち、アンテナ入力端子４の回路基板２を挟んで反対側に取り付けられているので、熱が平板部３１４側に伝達されにくく、平板部３１４へ熱が伝わるのを抑制することができる。
【００９１】
また、伝熱板３４２は、ＩＣ２１に直接接触することはなく、伝熱板３４２の初期押し付け力が強かったり、熱によって回路基板２及び（又は）仕切り部材３４の変形による押し付け力が強くなったりすることで、ＩＣ２１が故障、破損してしまう不具合を抑制することが可能である。さらに、ＩＣ２１の接続端子と伝熱板３４２との間に回路基板２が介在するので、異物が挿入したり、変形したりして接続端子と伝熱板３４２が接触することがなく、端子がショートしてＩＣ２１の誤作動、故障及び破損等の不具合の発生を抑制することができる。
【００９２】
図８に示す、仕切り部材３４は、脚片３４４が仕切り部３４１及び支持部３４３から２個ずつ突出しており、そのいずれもが回路基板２及びメイン基板ＭＢに半田付けされているものが記載されているが、これに限定されるものではない。すなわち、脚片３４４は仕切り部材３４を確実に、安定して回路基板２及びメイン基板ＭＢに固定できる個数であればよく、半田付けも確実、安定して固定でき、電気的に接続する必要がなければ省略してもかまわない。
【００９３】
本発明にかかるチューナユニットのさらに他の例について図面を参照して説明する。図９は本発明にかかるチューナユニットの仕切り部材の周りを拡大した図であり、図１０は仕切り部材を製作する前の金属板を切断するときの切断線及び折り曲げ線を示す図である。図９に示すように、チューナユニット１Ｇに用いられる仕切り部材３５は、長方形状の伝熱板３５２の長手方向両端部と一体形成された２個の仕切り部３５１、３５１が形成されている。
【００９４】
仕切り部３５１、３５１は長方形状の部材である。仕切り部３５１、３５１は伝熱板３５２の一方の面側に折り曲げられて形成されており、平行に形成されている。仕切り部３５１、３５１には脚片３５４が２個ずつ形成されている。脚片３５４は伝熱板３５２の仕切り部３５１が折り曲げられているのと反対側に突出して形成されている。
【００９５】
伝熱板３５２は回路基板２のＩＣ２１が実装された部分の裏面と接触するように配置されている。脚片３５４は回路基板２及びメイン基板ＭＢに設けられた貫通孔(スリット)を貫通している。そして、脚片３５４は回路基板２及びメイン基板ＭＢの接地配線に半田付けにて固定されている。
【００９６】
このように、伝熱板３５２の両端部に仕切り部３５１、３５１が形成された仕切り部材３５を用いることで、回路基板２がＩＣ２１の長さに対して仕切り部同士の距離を十分に取れない構成であっても、ＩＣ２１を含む電気回路を適当に仕切ることができる。
【００９７】
なお、図９に示した仕切り部材３５では、伝熱板３５２は、回路基板２のＩＣ２１が実装されている反対側の面と接触するように形成されているが、図７に示すものと同様に、ＩＣ２１と直接接触するように形成されていてもよい。
【００９８】
仕切り部材３５を製造する前の金属板Ｍｐは図１０に示すとおりである。なお、図１０では、切断線は実線で、折り曲げ線は破線で示している。平板状の金属板Ｍｐの中央部に長方形状の伝熱板３５２となる部分を配置する。その両端部に長手方向が伝熱板３５２の長手方向と交差（図では直交）するように仕切り部３５１となる部分を配置する。そして、各仕切り部３５１となる部分より、互いに向かって伸びる脚片３５４となる部分を形成する。このとき、脚片３５４となる部分は互い違いに配置されている。
【００９９】
金属板Ｍｐの実線に沿って切断し、ハッチング部分を切除する。そして、折れ線にそって、仕切り部３５１となる部分を伝熱板３５２に対して起き上がるように（図１０において、紙面手前に）折り曲げる。これにより、仕切り部３５１と一体に形成されている脚片３５４が伝熱板３５２を挟んで仕切り部３５１と反対側（図１０において紙面奥側）に突出され、図９に示した仕切り部材３５が作製される。この金属板Ｍｐはシールドケース３１を作製したときの残りの部分を想定しているが、それに限定されるものではない。
【０１００】
図９に示す仕切り部材３５では、伝熱板３５２を挟んで２個の仕切り部３５１を備えているものが記載されているが、それに限定されるものではない。例えば、ＩＣ２１が短辺側壁３１２ｂの近傍に実装されている基板の場合、短辺側壁３１２ｂを一方の仕切り部３５１の替わりに用いることができ、どちらか一方の仕切り部３５１を省略することが可能である。以下に、仕切り部材３５の一方が支持部３５３となっているものについて図面を参照して説明する。図１１は本発明にかかるチューナユニットの仕切り部材の周りを拡大した図であり、図１２は仕切り部材を製作するための金属板の表面に切断線及び折り曲げ線を示した図である。なお、図１２において、切断線は実線で、折り曲げ線は破線で示している。
【０１０１】
図１１に示す仕切り部材３５ｇは基板上の領域を分割する仕切り部３５１ｇと、長方形状に形成されて長手方向の一方の端部で仕切り部３５１ｇと連結された伝熱板３５２ｇと、伝熱板３５２ｇの長手方向の他方の端部と一体に連結された支持部３５３ｇとを備えている。仕切り部材３５ｇは金属板を切り曲げて形成したものであり、仕切り部３５１ｇ及び支持部３５３ｇは伝熱板３５２ｇの同じ面側に曲げられて形成されている。
【０１０２】
仕切り部３５１ｇ及び支持部３５３ｇには仕切り部３５１及び支持部３５３ｇには、伝熱板３５２ｇに対する折り曲げ方向と反対側に突出する脚片３５４ｇ及び脚片３５５ｇがそれぞれ２個ずつ形成されている。仕切り部材３５ｇの製造について図１２を参照して説明する。
【０１０３】
図１２に示すように、金属板Ａｐはシールド部３ｇを製造する前の状態の金属板である。金属板Ａｐをプレス加工にて切り曲げ、シールドケース３１と仕切り部材３２、仕切り部材３５ｇを製造する。金属板Ａｐのシールドケース３１を除いた部分、すなわち、長辺側壁３１１ａ、３１１ｂ、短辺側壁３１２ｂ及び平板部３１４で囲まれた部分の金属板Ｍｐを切り曲げることで仕切り部材３２及び仕切り部材３５ｇは形成される。
【０１０４】
仕切り部材３５ｇは、金属板Ｍｐにおいて、支持部３５３ｇが伝熱板３５２ｇの長手方向に突出するように形成されており、支持部３５３ｇより突出する脚片３５５ｇは、支持部３５３ｇより、支持部３５１ｇ側に向かって突出して形成されている。そして、図１１に示したように、伝熱板３５２ｇに対して仕切り部３５１ｇと同じ方向に折り曲げることで、脚片３５５ｇが支持部３５３ｇと反対側に突出させている。脚片３５５ｇを仕切り部３５１ｇ側に突出させるように形成することで、仕切り部材３５ｇの仕切り部３５１ｇ及び支持部３５３ｇを折り曲げる前の長さＬｇを短くすることができる。これにより、複数個の仕切り部材が必要であり、金属板Ｍｐにおいて仕切り部材同士の間隔を長く取れない場合であっても、伝熱板３５２ｇを備えた仕切り部材３５ｇを作製することができる。
【０１０５】
本発明にかかるチューナユニットのさらに他の例について図面を参照して説明する。図１３は本発明にかかるチューナユニットのさらに他の例の断面図である。図１３に示すチューナユニット１Ｈのシールド部３はシールドケース３１の開口を覆うように配置されたシールドカバー３６が取り付けられている。なお、シールドカバー３６が取り付けられている以外は、図２等に示すチューナユニット１Ｈと同様の構成を有しており、実質上同じ部分には同じ符号が付してある。さらに、実質上同じ部分の詳細な説明については省略する。
【０１０６】
シールドカバー３６はシールドケース３１の回路基板２と直交する方向に形成された開口を覆うものであり、メイン基板ＭＢ側に取り付けられる第１カバー部材３６１と、アンテナ入力端子４側に取り付けられる第２カバー部材３６２とを備えている。なお、第２カバー部材３６２は、平板部３１４と重なる部分に開口が形成されており、アンテナ入力端子４と直接接触しないように配置できる構造を有している。
【０１０７】
第１カバー部材３６１及び第２カバー部材３６２はシールドケース３１と同様、金属板をプレス加工で切りまげて形成された、蓋状の部材である。シールドカバー３６はシールドケース３１に電気的に接続されて固定されている。シールドケース３１及びシールドカバー３６で覆われることで、回路基板２は磁気シールドされている。シールドケース３１とシールドカバー３６の固定は、凸部を開口に嵌合させてとめるもの、ねじによる嵌合等、従来良く知られた方法で、容易且つ強固に固定することができる方法を利用することが可能である。ここでは、ねじによる嵌合が行われる。
【０１０８】
第１カバー部材３６１は、ＩＣ２１と対向する位置を切り曲げられて形成された舌片部３６３を備えている。舌片部３６３は先端が長方形状の平板で形成され、ＩＣ２１と当接する伝熱部３６４と、伝熱部３６４と第１カバー部材３６１とを連結する連結部３６５とを備えている。舌片部３６３は、連結部３６５の弾性力で伝熱部３６４をＩＣ２１に押し当てている。また、連結部３６５の近傍には、メイン基板ＭＢと接続するための接続部３６６が形成されている。接続部３６６は舌片部３６３と反対側に折り曲げられて形成されており、メイン基板ＭＢを貫通するとともに、メイン基板ＭＢに半田付けにて固定されている。
【０１０９】
ＩＣ２１より発せられる熱は、伝熱部３６４を介して第１カバー部材３６１に伝導される。そして、その熱は接続部３６６を介してメイン基板ＭＢに伝導される。このようにシールドカバー３６の第１カバー部材３６１に舌片部３６３及び接続部３６６を設けることで、ＩＣ２１から大気（空気）を介して長辺側壁３１１ａ、３１１ｂ及び短辺側壁３１２ｂに伝わる熱の量を減らすことができ、平板部３１４に伝導される熱の量を減らすことが可能である。以上のことより、電気回路（特に、ＩＣ２１）から発生した熱がアンテナ入力端子４に伝わりにくく、アンテナ入力端子４のリヤキャビネットＲｃから外部に露出した部分が高温になるのを抑制し、作業者及び（又は）使用者が触れたときに不快感、苦痛を感じるのを抑制することができる。
【０１１０】
なお、ＩＣ２１がメイン基板ＭＢと反対側に実装されている場合、舌片部３６３を回路基板２のＩＣ２１が実装されている部分の裏側と接触するように配置することも可能である。回路基板２に実装されている部品の端子が基板より突出している（スルーホール実装）の場合、舌片部３６３が端子、配線パターンと直接接触しないように配置されることは言うまでもない。
【０１１１】
なお、本実施形態に示すチューナユニット１Ｈのみがシールドカバー３６を取り付けた構成となっているが、これに限定されるものではなく、上述の他の実施形態においても必要に応じて開口を閉じることのできる構成のシールドカバーを取り付けるようにしても良い。
【０１１２】
本発明にかかるチューナユニットのさらに他の例について図面を参照して説明する。図１４は本発明にかかるチューナユニットのさらに他の例の平面図である。図１４に示すチューナユニット１Ｉは長辺側壁３１１ａと仕切り部材３２と接触して配置される平面部３１９が備えられている。平面部３１９は発熱量の大きなＩＣ２１が実装されている領域を区切るための仕切り部材３２と一体に形成されている。図１４に示すように、平面部３１９は矩形状を有しており、長手方向の両端部に仕切り部材３２が形成されている。そして、平面部３１９は中心部に雌ねじが形成されたねじ孔３１９０を備えている。このねじ孔にフレーム等に形成されている金属製の放熱部をねじ止めすることでねじＢｔを介して熱を伝導することができ、平板部３１４に熱が伝わりにくくすることが可能である。
【０１１３】
以上のことより、電気回路（特に、ＩＣ２１）から発生した熱がアンテナ入力端子４に伝わりにくく、アンテナ入力端子４のリヤキャビネットから外部に露出した部分が高温になるのを抑制し、作業者及び（又は）使用者が触れたときに不快感、苦痛を感じるのを抑制することができる。
【０１１４】
上記各実施形態において、外部接続端子としてアンテナ入力端子を採用しているが、それに限定されるものではなく、先端部分が筐体の外部に露出する端子のものを用いる場合も同様の構成とすることで、伝熱を抑制することができ、不快感、苦痛を感じさせる不具合を抑制することができる。
【０１１５】
上記実施形態の説明は、本発明を説明するためのものであって、特許請求の範囲に記載の発明を限定し、或は範囲を減縮するものではない。本発明の各部構成は上記実施形態に限らず、特許請求の範囲に記載の技術的範囲内で種々の変形が可能であることは勿論である。
【産業上の利用可能性】
【０１１６】
本発明は、ＬＣＤやＰＤＰ等を用いた薄型テレビ受信機に搭載されるチューナユニットに利用することができる。
【符号の説明】
【０１１７】
１  チューナユニット
２  回路基板
２１  電子部品（ＩＣ）
２２  貫通孔
３  シールド部
３１  シールドケース
３１１ａ、３１１ｂ  長辺側壁
３１２ａ、３１２ｂ  短辺側壁
３１３  脚部
３１３ａ、３１３ｂ  脚部
３１３ｃ  脚部
３１４  平板部
３１５  アンテナ入力端子取付部
３１６  貫通孔
３１７  突起
３１８ａ、３１８ｂ  長辺側壁
３１８ｃ  貫通窓
３２  仕切り壁
３３  仕切り部材
３３１  仕切り部
３３２  伝熱板
３３３  支持部
３３４  脚片
３４  仕切り部材
３４１  仕切り部
３４２  伝熱板
３４３  支持部
３４４  脚片
３５  仕切り部材
３５１  仕切り部
３５２  伝熱板
３５４  脚片
３６  シールドカバー
３６１  第１カバー部材
３６２  第２カバー部材
３６３  舌片部
３６４  伝熱部
３６５  連結部
３６６  接続部
４  アンテナ端子
４１  台座部
【図１】
2011018820.tif 000003
【図２】
2011018820.tif 000004
【図３】
2011018820.tif 000005
【図４】
2011018820.tif 000006
【図５】
2011018820.tif 000007
【図６】
2011018820.tif 000008
【図７】
2011018820.tif 000009
【図８】
2011018820.tif 000010
【図９】
2011018820.tif 000011
【図１０】
2011018820.tif 000012
【図１１】
2011018820.tif 000013
【図１２】
2011018820.tif 000014
【図１３】
2011018820.tif 000015
【図１４】
2011018820.tif 000016
【図１５】
2011018820.tif 000017
【図１６】
2011018820.tif 000018
【図１７】
2011018820.tif 000019